(57)【要約】【課題】グラインダ等ハンドツールに取り付けて使用する際に、回転しているかどうかが暗所で容易に視認可能なファイバーディスク等の研磨ディスクを提供する。【解決手段】ハンドツールに取り付け回転させて使用するための、基材と該基材の一方の面に設けた研磨層とを備えた研磨ディスクであって、外光量の少ない暗所で略平面視したときの研磨ディスクの回転状態の視認性を向上させるように、研磨層の反対側裏面の少なくとも部分的反射材の領域を有することを特徴とする。【選択図】図３
2020172007.tif 000002
【特許請求の範囲】
【請求項１】
ハンドツールに取り付け回転させて使用するための、基材と該基材の一方の面に設けた研磨層とを備えた研磨ディスクであって、
外光量の少ない暗所で平面視したときの前記研磨ディスクの回転状態の視認性を向上させるように、前記研磨層の反対側裏面の少なくとも部分的反射材の領域を有する、研磨ディスク。
【請求項２】
前記反射材の領域が、前記暗所において前記ハンドツールで前記研磨ディスクを回転させた際に円環として視認されるように決定されて成る、請求項１に記載された研磨ディスク。
【請求項３】
前記研磨ディスクはバックアップパッドを介して前記ハンドツールに取り付けられ、前記反射材の領域は前記裏面の外周縁の少なくとも部分から前記バックアップパッドの外周縁の外側の所定の位置まで伸長する、請求項１に記載された研磨ディスク。
【請求項４】
前記研磨ディスクがファイバーディスクである、請求項１に記載された研磨ディスク。
【請求項５】
前記ハンドツールがグラインダ又はサンダである、請求項１に記載された研磨ディスク。
【発明の詳細な説明】
【技術分野】
【０００１】
本発明は、ディスクグラインダ等に取り付けて使用するための回転研磨ディスクに関する。特に、使用する際に、回転しているかどうかが容易に視認可能であることにより安全性が向上したファイバーディスク等研磨ディスクに関する。
【背景技術】
【０００２】
研磨ディスク等の先端工具を回転駆動するように構成された手持ちの作業工具（ハンドツール）として、グラインダやサンダ等が知られている。これらハンドツールは、例えば、船底の鉄板の塗装前の鉄板と鉄板との間のバリ取り等の研削、研磨等加工作業を行う際に使用され得る。船底等は外光量が少ない暗所であり、作業者は手元をヘッドライト等で照らしながら作業を行う場合がある。ハンドツールの始動操作を行って実際に研磨ディスクが回転しているかどうか、確認しようとしても外光量が少なく視認し難い場合がある。研磨ディスクが回転しているのかどうか容易に視認することができないことで、作業上非常に危険である場合がある。
【０００３】
従来、電動工具における先端工具の駆動状態を報知するように、ハウジングと、ハウジングに装着された先端工具と、ハウジング内に収容されて先端工具を駆動するモータと、ハウジング内に収容されるとともにモータの冷却風が所定方向に流れるように誘導するバッフルプレートと、バッフルプレートに形成された収容空間部と、収容空間部に収容されて先端工具の駆動状態を光で報知する報知手段と、ハウジングの外表面において報知手段を覆う光透過性カバーと、を有する構成が提案された（特開２００７−１７５８３３号公報：特許文献１）。
【０００４】
また、ファイバーディスク等で研磨作業を行うと、作業中徐々に摩耗しディスクの外形が小さくなるが、暗所で作業していると摩耗状態が把握し難く、交換のタイミングを容易に把握できないという問題がある。
【先行技術文献】
【特許文献】
【０００５】
【特許文献１】特開２００７−１７５８３３号公報
【発明の概要】
【発明が解決しようとする課題】
【０００６】
従来提案された構成は、電動工具における先端工具の駆動状態を報知する状態報知部に関する部品点数の低減を目的とするものであり、電動工具自体の構成を変更することが前提となっているため煩雑だった。市販の電動ハンドツール等で暗所において作業しながら研磨ディスクの回転状態や交換時期を容易に視認するための手段はこれまで提案されてこなかった。
【０００７】
本発明は、回転状態を暗所でも視認できるようにするための、ハンドツールとともに使用される研磨ディスクを提供することを目的とする。特に、船体や車体の表面の研磨等を行う際に、容易に回転状態を上から視認するための、一方の表面を研磨層とし、他方の面で回転状態を示す回転研磨ディスクを提供することを目的とする。このことにより、暗所でのハンドツールと研磨ディスクを用いた作業の安全性を向上させることを目的とする。
【０００８】
さらに本発明は、ファイバーディスク等研磨により摩耗する研磨ディスクにおいて、暗所での作業でも容易に交換時期を把握できる研磨ディスクを提供することを目的とする。
【課題を解決するための手段】
【０００９】
本発明の一つの実施形態は、ハンドツールに取り付け回転させて使用するための、基材と該基材の一方の面に設けた研磨層とを備えた研磨ディスクであって、外光量の少ない暗所で略平面視したときの研磨ディスクの回転状態の視認性を向上させるように、研磨層の反対側裏面の少なくとも部分的反射材の領域を有することを特徴とする。
【００１０】
本発明の研磨ディスクによれば、研磨層の反対側裏面の少なくとも部分に反射材の領域を有することで、回転時に反射材が明るい円環状に見え、回転の有無を目視確認し得る。反射材の領域の大きさや形状は、反射材の反射性能やハンドツールの回転数に従って、外光量の少ない暗所においてディスクの回転が十分に視認できるように決定されることが好ましい。反射材は研磨ディスクの外周縁の少なくとも部分から中心方向に伸長してよく、それによって回転中研磨ディスクの外周縁を明示することができ、安全性を向上させ得る。
【００１１】
好適に、反射材の領域は、暗所においてハンドツールで研磨ディスクを回転させた際に円環として視認されるように決定され得る。反射材の領域は、回転時に画成される円環の明るさ感に基づいて決定され得る。回転させた際に明るい円環として目視される限り、研磨ディスクの裏面の反射材の領域は扇状や円環の部分の形状であってよく、トレードマーク等のロゴ形状であってもよい。
【００１２】
上記のようにすることで、暗所において作業者が作業中に確実に回転状態を目視により把握可能な研磨ディスクとすることができる。なお、反射材は再帰反射シートを含む夜光反射材等であってよく、目視した場合の明るさの尺度として、一定以上の反射性能を有することが好ましい。
【００１３】
研磨ディスクはバックアップパッドを介してハンドツールに取り付けられてよく、反射材の領域は裏面の外周縁の少なくとも部分からバックアップパッドの外周縁の外側の所定の位置まで伸長してよい。
【００１４】
上記のようにすることで、バックアップパッドを介してハンドツールに取り付けられ、研磨により摩耗する研磨ディスクにおいて、例えば、暗所において目視される反射材の光が消えたときを目安に研磨ディスクを交換することができ、交換時期を極めて容易に把握することができる。
【００１５】
研磨ディスクは、ファイバーディスクであってよい。
【００１６】
ハンドツールは、グラインダ又はサンダであってよい。
【発明の効果】
【００１７】
本発明によれば、暗所でハンドツールを用いて回転研磨ディスクにより作業を行う際の安全性を向上させることができる。ハンドツール自体の構成を変更することなく、研磨ディスクの構成を変更することで回転状態を把握できるため、コストをかけることなく容易に導入して研磨、研削作業における作業者の安全に寄与することができる。
【００１８】
また、本発明によれば、研磨、研削により外形が低減されるような研磨ディスクの外形の変化を暗所でも容易に視認できるため、交換時期を容易に把握することができる。交換の必要性を目視確認するために頻繁に作業を中断したり、交換時期を見逃してハンドツールの構成部品（バックアップパッド等）を破損したりすることがない。このことにより作業の効率性、安全性を向上させることができる。
【図面の簡単な説明】
【００１９】
【図１】図１は、公知のディスクグラインダの模式的な平面図である。
【図２】図２（Ａ）は、従来のファイバーディスクの模式的な平面図（上図）とＸ−Ｙ端面図（下図）である。図２（Ｂ）は、バックアップパッドとともに使用される従来のファイバーディスクの模式的な平面図（上図）とＸ−Ｙ端面図（下図）である。
【図３】図３（Ａ）は、本発明に係る一つの実施形態の反射材を備えたファイバーディスクの模式的な平面図（上図）とＸ−Ｙ端面図（下図）である。図３（Ｂ）は、バックアップパッドとともに使用される本発明に係る一つの実施形態の反射材を備えたファイバーディスクの模式的な平面図（上図）とＸ−Ｙ端面図（下図）である。
【図４Ａ】図４Ａは参考例の反射材を備えたファイバーディスクの写真である。
【図４Ｂ】図４Ｂは、グラインダに装着した参考例のファイバーディスクを暗所において回転させた状態で撮影された写真である。
【図５Ａ】図５Ａは一つの実施例の反射材を備えたファイバーディスクの写真である。
【図５Ｂ】図５Ｂは、グラインダに装着した一つの実施例のファイバーディスクを暗所において回転させた状態で撮影された写真である。
【図６】図６は、グラインダに装着した他の実施例のファイバーディスクを暗所において回転させた状態で撮影された写真である。
【図７】図７（Ａ）は、本発明に係る他の実施形態の反射材を備えたファイバーディスクの模式的な平面図である。図７（Ｂ）は、バックアップパッドとともに使用される本発明に係る他の実施形態の反射材を備えたファイバーディスクの模式的な平面図である。
【発明を実施するための形態】
【００２０】
以下、図面を参照しながら、本発明のさまざまな特徴が、本発明の限定を意図するものではない好適な実施例とともに説明される。図面は説明の目的で単純化、概略化され、尺度も必ずしも一致しない。参照番号は同一の部材、物品等を指す場合がある。
【００２１】
図１は、本発明に係る研磨ディスクとともに使用される公知のグラインダ１を示す。グラインダ１はハウジング１０を有し、該ハウジング１０の長軸方向の一端部の下端部に、研磨ディスク１００を回転可能に保持するように構成される。この一端部の下端部には、加工作業で生じた被加工物の破片や粉塵の飛散を抑制し研磨ディスク１００から作業者（使用者）を保護するためのホイールカバー１１が固定され得る。ホイールカバー１１は、ハンドツールの種類や作業内容、研磨ディスクの径等によっては使用されないこともあり得る。研磨ディスク１００は、ハウジング１０の長軸方向に直交する方向に延在するシャフト（図示せず）に着脱可能に装着され、スロットルハンドル１２を使用者が始動操作することにより回転駆動され得る。使用者はグラインダ１を使用中、スロットルハンドル１２及び／又は防振ハンドル１３を把持することができる。
【００２２】
図示の例は、使用者が研磨ディスク１００の下面（研磨面）を下方の被加工物に所定の角度Ａ（例えば、０度＜Ａ≦４５度）の範囲で当接させて作業を行う際に作業者から見えるグラインダ１の姿勢であり得る。例えば、研磨ディスク１００は研磨中、４５度以下、３０度以下、１０度以下等の傾きをもって被加工物の略平坦な表面や凸状の曲面に当接され得る。あるいは研磨ディスク１００は、被加工物の表面に平行に（Ａ＝０度）で当接され得る。
【００２３】
グラインダ１に装着可能な研磨ディスク１００として、ファイバーディスク、砥石、ゴムパッド、ブラシ、ブレード等が挙げられる。研磨ディスク１００は概してシャフトに取り付けるための中央穴を有する円形（ドーナツ板状）である。ファイバーディスクの形状は円形（ドーナツ板状）であってよく、八角形（多角形）や花形であってもよい。使用者は、所望の加工作業に応じて適切な研磨ディスク１００を選択し、グラインダ１に装着することができる。なお、図示の例では、ファイバーディスク等の可撓性のある研磨ディスク１００をグラインダ１に取り付ける際に使用されるバックアップパッドは省略されている。
【００２４】
図２（Ａ）の上図は従来のファイバーディスク２００の平面図である。ファイバーディスク２００は所定の径のドーナツ板状（環状基板状）を呈する。ファイバーディスク２００は、概して、バルカナイズドファイバーを基材とし、該基材の一方の面に多数の砥粒を埋め込んだ樹脂コート層を研磨層として形成したものであり、可撓性を有する。図２（Ａ）の下図はファイバーディスク２００のＸ−Ｙ端面図であり、図示の例では研磨層１０１がディスクの下面を構成している。研磨層１０１の反対側は、概して、基材１０２に裏材が貼付されて成り、裏材の表面がファイバーディスク２００の裏面１０２ｓを構成する。
【００２５】
図２（Ｂ）の上図はグラインダ等ハンドツールに取り付ける際に使用されるバックアップパッド１４とファイバーディスク２００とを示し、下図はそのＸ−Ｙ端面を示す。バックアップパッド１４は外周縁を含む環状部と、該環状部の面に対して垂直方向にオフセットした中央部とを有し、材質は、ゴム、樹脂、金属等である場合がある。
【００２６】
図３（Ａ）の上図は本発明に係る一つの実施形態の反射材を備えたファイバーディスク３００の平面図である。従来のファイバーディスク２００の構成に加え、裏面１０２ｓの外周縁１０２ｐの一部から中心方向に伸長する反射材を備える。図示の例では、反射材の領域１０２ｒは、外周縁１０２ｐの一部から中央の取付け孔の縁に当たる内周縁の一部にかけて略扇形に伸長し、略扇形の中心角θは９０度である。
【００２７】
反射材の領域１０２ｒは、ファイバーディスクの外周縁１０２ｐの少なくとも一部を画成するようにディスクの裏面１０２ｓに形成されてよい。このようにすることで、作業者は暗所での作業時にディスクの外周縁を把握することができ、回転時に作業者が誤って接触するような危険性や、回転時にディスクが被加工物でないものに接触して破損し飛び散る危険性等が低減される。
【００２８】
反射材の領域１０２ｒは、入射した光を光源方向に向かって反射させる、いわゆる再帰性反射材（反射フィルム、反射布、蓄光フィルム等）を裏面１０２ｓの所定の範囲に貼付することで形成することができる。反射材の領域１０２ｒを形成するために使用される再帰性反射材は、ガラスビーズの集光作用と光反射層の働きで僅かな光でも暗所で鮮明に光を反射することができるガラスビーズタイプであってよい。反射膜の上にガラスビーズを装着したオープンタイプであってよく、ガラスビーズが透明樹脂でコーティングされた封入レンズタイプであってよく、ガラスビーズが空気層を介在させて透明樹脂でコーティングされたカプセルレンズタイプであってもよい。再帰性反射材は、多面体（三角錐の正四面体等）を使用したプリズムタイプ（軟質、硬質、金属蒸着）であってもよい。
【００２９】
あるいは、反射材の領域１０２ｒは、裏面１０２ｓの所定の範囲に高輝度蓄光塗料などを塗布して形成してもよく、高輝度蓄光塗料シートを貼付して形成してもよい。
【００３０】
例えば、本発明に係る反射領域を形成するための反射材として、Ｍｉｐｏｘ株式会社製の夜光反射材（Ｒｅｆｌｉｔｅ（登録商標）シリーズ）等を使用することができる。
【００３１】
図３（Ｂ）に示されるように、本発明に係る反射材を備えたファイバーディスク３００も、バックアップパッド１４を介してグラインダに装着され得る。反射材（１０２ｒ）の厚みは１ｍｍ未満（例えば、０．５ｍｍ）程度であり可撓性を有するため、装着時や使用時に、ディスクの裏面に貼付された反射材の厚みが問題になることはない。
【００３２】
本発明に係る発明者は、本発明に係る反射材を備えたファイバーディスクを市販のグラインダに装着し、外光量の少ない暗所において使用した場合の、反射材の領域と視認性との関係を試験した。
【００３３】
図４Ａは、試験において用いられた参考例の反射材（白い矢印で示す部分）を備えたファイバーディスクの写真である（米国アップル社製ｉＰｈｏｎｅ（登録商標）８で撮影）。ファイバーディスクとして日本研紙株式会社製、製品ＨＣＡ（外径：５インチ）が使用された。反射材としてＭｉｐｏｘ株式会社、製品番号８１１４（反射性能（入射角５°、観測角０．２°）：１４ cd/lx.m2、厚み：０．５ ｍｍ）が使用された。略扇型の反射材の中心角（θ）は１０°未満であった。
【００３４】
これを市販のグラインダ（日立工機株式会社製、製品名：Ｇ１０ＳＨ３）に装着し、暗所において回転させたときの視認性を確認した。回転数は４，３００ｒｐｍであった。
【００３５】
図４Ｂはその際に撮影された写真である（米国アップル社製ｉＰｈｏｎｅ（登録商標）８で撮影）。写真には反射材はほとんど写っていない。目視の場合は、残像の効果や暗順応によりカメラによる撮影よりは明るく見えやすくなると考えられるが、このときは目視でも円環形状がわずかに見えるかほとんど見えず、暗所での視認性は不十分だった。
【００３６】
図５Ａは、試験において用いられた実施例の反射材（白い矢印で示す部分）を備えたファイバーディスクの写真である（米国アップル社製ｉＰｈｏｎｅ（登録商標）８で撮影）。反射材の領域をディスクの外周縁から内周縁まで伸長する、中心角約９０°の略扇形状とした他は、参考例と同様であった。
【００３７】
図５Ｂは実施例のファイバーディスクを参考例と同様にグラインダに装着し、暗所において回転させたときの写真である。グラインダ、カメラの条件は参考例と同様であった。
【００３８】
図５Ｂの写真では反射材は、シャッター速度等により実際の反射材の領域の角度範囲（約９０°）よりもやや広く写っている。これを目視したときは、残像の効果等により明るい円環としてはっきり認められ、暗所において回転していることが容易に把握された。
【００３９】
上記のように、ファイバーディスクにおける反射材の領域があまり小さくなると、所定のハンドツールにより暗所において回転させた場合に目視される円環の明るさが不十分となり、回転の有無の視認性が十分ではなかった。従ってファイバーディスクの裏面に貼付される反射材の量は、反射材の反射性能等に応じて、所定のハンドツールにより暗所において回転させた場合に目視される円環の明るさが十分であるように選択されることが好ましい。そのような反射材の領域は、ファイバーディスクの裏面の一部、又はファイバーディスクの裏面の全体であり得る。図６は、上の実施例と同様の反射材をファイバーディスクの裏面全体に貼付して、同様の条件で回転させ、カメラで撮影された写真である。反射材の領域と同じ形状の円環が明るく視認され、回転していることが把握された。
【００４０】
本発明に係るファイバーディスクの外径は、４〜７インチの範囲にあってよい。ファイバーディスクの穴径は１２〜２５ｍｍの範囲にあってよい。ファイバーディスクとともに使用されるグラインダの回転速度は５００〜１３０００ｒｐｍの範囲にあってよい。使用される反射材の反射性能は本発明の使用目的に照らして、光源の光量（ヘッドライト等）、入射角（ヘッドライト等と研磨ディスクの位置）、受光角（作業者の目の位置）等によって、それほど高くなくても足りる場合がある。反射材の反射性能をＪＩＳ  Ｚ  ９１１７に準拠し入射角、観測角を変更させながら測定したときの再帰反射係数は３ cd/lx.m2以上であってよい。反射材の色は任意に選択し得る。市販のグラインダに装着し回転時に明るい円環として視認される限り、反射材の種類、面積、形状等は任意に選択してよい。反射材の領域は連続する領域であってよく、不連続な領域であってもよい。
【００４１】
図７（Ａ）は、他の実施形態のファイバーディスク４００の決定された反射材の領域を表す模式図である。反射材の領域１０３ｒは、ファイバーディスクの外周縁１０２ｐの部分から外周縁の内側の円Ｃの部分にかけて伸長する（中心角θ＝９０度）。図７（Ｂ）に示すように、円Ｃは、バックアップパッド１４の外周縁１４ｐに関して（例えば、外周縁１４ｐより外側に）設定され得る。例えば、ファイバーディスクを傾けて被加工物に当接させて研磨を行うと、ファイバーディスクの研磨層だけではなく、裏面を含め全体が外周縁から次第に削られ、外形が低減される場合がある。外周縁１０２ｐが削られてバックアップパッド１４の外周縁１４ｐ近くなった研磨ディスク等は交換する必要がある。図示のように反射材の領域１０３ｒを決定することで、作業者は暗所において視認される光る円環の幅が小さくなったとき、あるいは円環の光が完全に消えたときに、ファイバーディスクを交換することができる。
【００４２】
本発明の思想及び態様から離れることなく多くのさまざまな修正が可能であることは当業者の知るところである。したがって、言うまでもなく、本発明の態様は例示に過ぎず、本発明の範囲を限定するものではない。
【符号の説明】
【００４３】
３００      反射材を備えた研磨ディスク
１０１      研磨ディスクの研磨層
１０２      研磨ディスクの基材（裏材）
１０２ｓ    研磨ディスクの裏面
１０２ｒ    反射材の領域
１０２ｐ    研磨ディスクの外周縁
１４        バックアップパッド
【図１】
2020172007.tif 000003
【図２】
2020172007.tif 000004
【図３】
2020172007.tif 000005
【図４Ａ】
2020172007.tif 000006
【図４Ｂ】
2020172007.tif 000007
【図５Ａ】
2020172007.tif 000008
【図５Ｂ】
2020172007.tif 000009
【図６】
2020172007.tif 000010
【図７】
2020172007.tif 000011